(57)【要約】【課題】手書き文字入力用の領域を適時に表示させることができるようにする。【解決手段】ユーザがウインドウ３１の子供に当たるウインドウ（ダイアログ）６２を開くと、文字入力が可能なウインドウの切り替えが行われ、ウインドウ６２が文字入力可能なウインドウとなる。このウインドウ６２は、手書き文字入力用ウインドウと関連付け設定されたウインドウ３１と共通したルートを有するものであり、互いに関連しているため、手書き文字入力用ウインドウ３０は表示状態のままとなる。一方、ユーザがウインドウ３１とは関連性のないウインドウ３２への切り替え操作を行った場合、ウインドウ３２は、関連付け設定されたウインドウ３１と共通したルートを有していないため、手書き文字入力用ウインドウ３０は非表示状態となる。【選択図】      図７
2005149240.tif 000002
【特許請求の範囲】
【請求項１】
手書き文字を入力するための手書き文字入力用ウインドウと、複数のウインドウのいずれかとの関連付けを設定する手段と、
前記手書き文字入力用ウインドウとの関連付けが設定されているウインドウが表示されたときに、当該手書き文字入力用ウインドウを表示させる手段と
を具備することを特徴とする情報処理装置。
【請求項２】
前記手書き文字入力用ウインドウを表示させる手段は、前記手書き文字入力用ウインドウとの関連付けが設定されていないウインドウへの切り替え操作が行われたときに、当該手書き文字入力用ウインドウを非表示にすることを特徴とする請求項１記載の情報処理装置。
【請求項３】
前記手書き文字入力用ウインドウを通じて手書き文字が入力された場合、その手書き文字に該当する文字データを前記手書き文字入力用ウインドウとの関連付けが設定されている表示中のウインドウの中に表示させる手段を更に具備することを特徴とする請求項１記載の情報処理装置。
【請求項４】
前記関連付けを設定する手段は、所定の指示があった場合に、表示されている文字入力可能なウインドウと前記手書き文字入力用ウインドウとの関連付けを設定することを特徴とする請求項１記載の情報処理装置。
【請求項５】
前記関連付けを設定する手段は、所定の指示があった場合に、表示されている文字入力可能なウインドウの階層構造上のルートに該当するウインドウの識別子を取得して所定の記憶領域に記憶し、
前記手書き文字入力用ウインドウを表示させる手段は、ウインドウの切り替え操作があった場合に、表示されている文字入力可能なウインドウの階層構造上のルートに該当するウインドウの識別子を取得してその識別子が前記記憶領域に記憶した識別子に一致するか否かを判定し、一致した場合に限り、前記手書き文字入力用ウインドウを表示させることを特徴とする請求項１記載の情報処理装置。
【請求項６】
表示制御を行うためのプログラムであって、コンピュータに、
手書き文字を入力するための手書き文字入力用ウインドウと、複数のウインドウのいずれかとの関連付けを設定させる機能と、
前記手書き文字入力用ウインドウとの関連付けが設定されているウインドウが表示されたときに、当該手書き文字入力用ウインドウを表示させる機能と
を実現させることを特徴とするプログラム。
【請求項７】
前記手書き文字入力用ウインドウを表示させる機能は、前記手書き文字入力用ウインドウとの関連付けが設定されていないウインドウへの切り替え操作が行われたときに、当該手書き文字入力用ウインドウを非表示にさせることを特徴とする請求項６記載のプログラム。
【請求項８】
前記手書き文字入力用ウインドウを通じて手書き文字が入力された場合、その手書き文字に該当する文字データを前記手書き文字入力用ウインドウとの関連付けが設定されている表示中のウインドウの中に表示させる手段を更に具備することを特徴とする請求項６記載のプログラム。
【請求項９】
前記関連付けを設定させる機能は、所定の指示があった場合に、表示されている文字入力可能なウインドウと前記手書き文字入力用ウインドウとの関連付けを設定させることを特徴とする請求項６記載のプログラム。
【請求項１０】
前記関連付けを設定させる機能は、文字入力が可能なウインドウの表示中に所定の指示があった場合にそのウインドウの階層構造上のルートに該当するウインドウの識別子を所定の記憶領域に記憶させ、
前記手書き文字入力用ウインドウを表示させる機能は、ウインドウの切り替え操作があった場合に、表示されている文字入力可能なウインドウの階層構造上のルートに該当するウインドウの識別子を取得してその識別子が前記記憶領域に記憶した識別子に一致するか否かを判定し、一致した場合に限り、前記手書き文字入力用ウインドウを表示させることを特徴とする請求項６記載のプログラム。
【発明の詳細な説明】
【技術分野】
【０００１】
本発明は、手書き文字の入力および文字データの表示が可能な表示装置を備えた情報処理装置および表示制御用プログラムに関する。
【背景技術】
【０００２】
近年の情報処理装置には、タブレット（又はディジタイザ）とＬＣＤとを組み合わせた表示装置が備えられているものがある。このような情報処理装置においては、タブレットを通じて手書き文字を入力すると共に、入力された手書き文字に該当する文字データをＬＣＤ上に表示出力させることができる。
【０００３】
例えば特許文献１には、手書き文字入力用の領域と、入力された文字を表示出力するための領域とを、ＬＣＤ上に表示させることが開示されている。
【特許文献１】特許第３１２７９６６号公報
【発明の開示】
【発明が解決しようとする課題】
【０００４】
しかしながら上記文献の技術では、装置を使用している間は、特段の操作を行わない限り、手書き文字入力用の領域は常に表示された状態である。このため、入力された手書き文字に対応する文字データを表示出力させるための領域とは関係ない領域が表示されているときにも、手書き文字入力用の領域は表示されたままとなる。ユーザが必要としないときに表示される手書き文字入力用の領域は、ユーザにとって非常に目障りであり、また作業の妨げにもなる。
【０００５】
本発明は上記実情に鑑みてなされたものであり、手書き文字入力用の領域を適時に表示させることが可能な情報処理装置および表示制御用プログラムを提供することを目的とする。
【課題を解決するための手段】
【０００６】
本発明に係る情報処理装置は、手書き文字を入力するための手書き文字入力用ウインドウと、複数のウインドウのいずれかとの関連付けを設定する手段と、前記手書き文字入力用ウインドウとの関連付けが設定されているウインドウが表示されたときに、当該手書き文字入力用ウインドウを表示させる手段とを具備することを特徴とする。
【０００７】
また、本発明に係るプログラムは、表示制御を行うためのプログラムであって、コンピュータに、手書き文字を入力するための手書き文字入力用ウインドウと、複数のウインドウのいずれかとの関連付けを設定させる機能と、前記手書き文字入力用ウインドウとの関連付けが設定されているウインドウが表示されたときに、当該手書き文字入力用ウインドウを表示させる機能とを実現させることを特徴とする。
【発明の効果】
【０００８】
手書き文字入力用の領域を適時に表示させることができる。
【発明を実施するための最良の形態】
【０００９】
以下、図面を参照して、本発明の実施形態を説明する。  
まず、図１および図２を参照して、本発明の一実施形態に係る情報処理装置の構成について説明する。この情報処理装置は、例えば、ノートブック型パーソナルコンピュータとして実現されている。
【００１０】
図１はノートブック型パーソナルコンピュータのディスプレイユニットを開いた状態における正面図である。本コンピュータ１は、コンピュータ本体１１と、ディスプレイユニット１２とから構成されている。ディスプレイユニット１２には、表示装置１２０が組み込まれており、その表示装置１２０の表示画面はディスプレイユニット１２のほぼ中央に位置されている。
【００１１】
表示装置１２０は、スタイラス（ペン）１０のペン先で指定された位置を検出可能に構成されたタッチスクリーンデバイスである。この表示装置１２０は、ＬＣＤ（Liquid Crystal Display）とディジタイザとから構成されている。ディジタイザは、スタイラス１０のペン先によって指定された位置を検知して、当該位置に対応する座標データ等を入力する入力装置である。ディジタイザとしては、例えば、電磁誘導方式のものが用いられる。
【００１２】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１を電源オン／オフするためのパワーボタン１４、およびタッチパッド１５などが配置されている。
【００１３】
次に、図２を参照して、本コンピュータ１のシステム構成について説明する。
【００１４】
本コンピュータ１には、図２に示されているように、ＣＰＵ１０１、ホストブリッジ１０２、主メモリ１０３、表示コントローラ１０４、システムコントローラ１０５、ハードディスクドライブ（ＨＤＤ）１０６、ディジタイザコントローラ１０７、ＢＩＯＳ−ＲＯＭ１１０、およびエンベデッドコントローラ／キーボードコントローラＩＣ（ＥＣ／ＫＢＣ）１１１等が設けられている。
【００１５】
ＣＰＵ１０１は本コンピュータ１の動作を制御するために設けられたプロセッサであり、ハードディスクドライブ（ＨＤＤ）１０６から主メモリ１０３にロードされたオペレーティングシステム（ＯＳ）および各種アプリケーション／ユーティリティプログラムを実行する。また、ＣＰＵ１０１は、ＢＩＯＳ−ＲＯＭ１１０に格納されたＢＩＯＳ（Basic Input Output System）も実行する。
【００１６】
コンピュータ１においては、ユーティリティプログラムの一つとして、後述する手書き文字入力用ウインドウの表示／非表示を制御するための表示制御用プログラムが予めインストールされている。
【００１７】
ホストブリッジ１０２はＣＰＵ１０１のローカルバスとシステムコントローラ１０５との間を接続するブリッジデバイスである。ホストブリッジ１０２には、主メモリ１０３をアクセス制御するメモリコントローラが内蔵されている。表示コントローラ１０４は本コンピュータ１のディスプレイモニタとして使用されるＬＣＤ１２１を制御する。
【００１８】
システムコントローラ１０５は、ＰＣＩバス上の各デバイスおよびＩＳＡバス上の各デバイスを制御する。また、システムコントローラ１０５には、ＨＤＤ１０６を制御するためのＩＤＥコントローラも内蔵されている。
【００１９】
ディジタイザコントローラ１０７は、ディジタイザ１２２を制御するデバイスである。ディジタイザコントローラ１０７は、ディジタイザ１２２から座標データ等を取得する。ディジタイザ１２２は、例えば、ＬＣＤ１２１上に配置された透明のボードとして実現されている。
【００２０】
エンベデッドコントローラ／キーボードコントローラＩＣ（ＥＣ／ＫＢＣ）１１１は、電力管理のためのエンベデッドコントローラと、キーボード（ＫＢ）１３を制御するためのキーボードコントローラとが集積された１チップマイクロコンピュータである。このエンベデッドコントローラ／キーボードコントローラＩＣ（ＥＣ／ＫＢＣ）１０９は、ユーザによるパワーボタン１４の操作に応じて本コンピュータ１をパワーオン／パワーオフする機能を有している。
【００２１】
次に、図３を参照して、図２に示される主メモリ１０３上のＯＳおよび表示制御用プログラムに係わる機能構成について説明する。
【００２２】
ＯＳ２０は、手書き文字入力用ウインドウ３０のほか、各種のウインドウ（アプリケーション）３１，３２，…を管理しており、個々のウインドウを識別するための識別子（ハンドル番号など）の情報と共に個々のウインドウの階層構造上の親子関係や独立性などを示す情報（以下、ウインドウ階層構造情報と呼ぶ）を有している。
【００２３】
一方、表示制御用プログラムは、関連付け設定部５１および手書き文字入力用ウインドウ表示制御部５２を有する。関連付け設定部５１は、手書き文字入力用ウインドウ３０と、複数のウインドウ３１，３２，…のいずれかとの関連付けを設定するものである。手書き文字入力用ウインドウ表示制御部５２は、手書き文字入力用ウインドウ３０との関連付けが設定されているウインドウがＬＣＤ１２１上に表示されたときに当該手書き文字入力用ウインドウ３０を同ＬＣＤ１２１上に表示させたり、手書き文字入力用ウインドウ３０との関連付けが設定されていないウインドウへの切り替えが行われたときに当該手書き文字入力用ウインドウ３０を非表示の状態にさせたりするものである。なお、関連付け情報記憶部５３は、主メモリ上の所定の記憶領域に該当し、手書き文字入力用ウインドウ３０との関連付けを示すウインドウ識別子情報の記憶・読出しに使用される。
【００２４】
上記手書き文字入力用ウインドウ３０に関連する機能としては、文字認識部４１や認識結果送信部４２などがある。文字認識部４１は、手書き文字入力用ウインドウ３０内の手書き文字入力エリアにペン１０で入力される手書き文字の認識処理を行い、文字データを判定するものである。認識結果送信部４２は、文字認識部４１における認識結果である文字データをＯＳ２０へ送信し、その文字データを表示中の該当するウインドウの中に表示出力させるものである。
【００２５】
次に、ＯＳ２０および表示制御用プログラムの機能について具体的に説明する。  
ＯＳ２０は、ＬＣＤ１２１に表示される特定のアイコン（即ち、手書き文字入力用ウインドウ３０と、複数のウインドウ３１，３２，…のいずれかとの関連付けの設定処理を起動させるためのアイコン）がペン１０でタップされた場合に（もしくは、マウスで左クリックされた場合に）その旨をイベント又はメッセージの形式で関連付け設定部５１に通知したり、表示されるウインドウの切り替え操作があった場合にその旨を手書き文字入力用ウインドウ表示制御部５２に通知したりする。
【００２６】
さらに、ＯＳ２０は、関連付け設定部５１や手書き文字入力用ウインドウ表示制御部５２からの問合せ（文字入力が可能となっているフォーカスのあるウインドウの識別子の送信要求や、そのウインドウの階層構造上のルートに該当するウインドウの識別子の送信要求）があった場合には、上記ウインドウ階層構造情報を参照することにより、該当する問合せに応答したり、手書き文字入力用ウインドウ表示制御部５２からの指示に応じて手書き文字入力用ウインドウ３０の表示／非表示の各状態を切り替え制御したりする。
【００２７】
一方、関連付け設定部５１は、ＯＳ２０から特定アイコンがタップされたことを示す通知を受けた場合、文字入力が可能なフォーカスのあるウインドウの識別子をＯＳ２０に問い合わせて取得し、さらにそのウインドウの階層構造上のルートに該当する親ウインドウの識別子をＯＳ２０に問い合わせて取得し、その親ウインドウの識別子を関連付け情報記憶部５３に記憶させる。
【００２８】
手書き文字入力用ウインドウ表示制御部５２は、ＯＳ２０からウインドウの切り替え操作があったことを示す通知を受けた場合、文字入力が可能なフォーカスのあるウインドウの識別子をＯＳ２０に問い合わせて取得し、さらにそのウインドウの階層構造上のルートに該当する親ウインドウの識別子をＯＳ２０に問い合わせて取得し、その取得した識別子が上記関連付け情報記憶部５３に記憶した識別子に一致するか否かを判定し、一致した場合に限り、手書き文字入力用ウインドウ３０を表示状態とするようＯＳ２０に指示する。一致しなければ、手書き文字入力用ウインドウ３０を非表示状態とするようＯＳ２０に指示する。
【００２９】
次に、図４を参照して、ＯＳ２０が有するウインドウ階層構造情報の一例を説明する。
図４の例では、ウインドウＡとウインドウＧとは独立して存在し、互いに関連していない。親ウインドウＡは、子供であるウインドウＢ，Ｅや、孫に相当するウインドウＣ，Ｄ，Ｆに関連し、これらのルートに該当するウインドウである。親ウインドウＧは、子供であるウインドウＨ，Ｉに関連し、これらのルートに該当するウインドウである。
【００３０】
例えば、ＬＣＤ１２１上で現在文字入力が可能なフォーカスのあるウインドウが「ウインドウＡ」である場合を考える。ここで、特定アイコンがタップされた場合、ウインドウＡ自身が階層構造上のルートに該当する親ウインドウであるため、このウインドウＡの識別子が、関連付け設定情報として関連付け情報記憶部５３に記憶される。また、このときに、手書き文字入力用ウインドウ３０がＬＣＤ１２１上に表示される。
【００３１】
この後、文字入力が可能なフォーカスのあるウインドウが「ウインドウＢ」に切り替えられたものとする。この場合、ウインドウＢの階層構造上のルートに該当するウインドウは「ウインドウＡ」である。このウインドウＡの識別子は、関連付け情報記憶部５３に記憶されている識別子に一致するため、手書き文字入力用ウインドウ３０は表示状態のままである。
【００３２】
さらにこの後、文字入力が可能なフォーカスのあるウインドウが「ウインドウＣ」に切り替えられたものとする。この場合も、ウインドウＣの階層構造上のルートに該当するウインドウは「ウインドウＡ」である。このウインドウＡの識別子は、関連付け情報記憶部５３に記憶されている識別子に一致するため、手書き文字入力用ウインドウ３０は表示状態のままである。
【００３３】
またこの後、文字入力が可能なフォーカスのあるウインドウが「ウインドウＧ」に切り替えられたものとする。この場合、ウインドウＧは、ウインドウＡとは関連しない階層構造上のルートに該当する親ウインドウである。このウインドウＧの識別子は、関連付け情報記憶部５３に記憶されている識別子に一致しないため、手書き文字入力用ウインドウ３０は非表示状態となる。
【００３４】
次に、図５〜図８を参照して、ＬＣＤ画面上における手書き文字入力用ウインドウ３０の表示／非表示処理の一例について説明する。
【００３５】
図５は、ウインドウの関連付け設定を行う前の状態を示している。  
画面上には特定アイコン６０が表示されている。この特定アイコン６０は、前述したように、手書き文字入力用ウインドウ３０と、複数のウインドウ３１，３２，…のいずれかとの関連付けの設定処理を起動させるためのアイコンである。また、画面上には、ウインドウ３１およびウインドウ３２が表示されている。このとき、ウインドウ３１は、現在文字入力が可能なフォーカス６１のあるウインドウである。
【００３６】
図６は、ウインドウの関連付け設定を行った後の状態を示している。  
ユーザが特定アイコン６０をペンでタップすると、ウインドウの関連付け設定が実行される。この場合、文字入力が可能なフォーカス６１のあるウインドウ３１と手書き文字入力用ウインドウ３０との関連付けが行われる。また、このとき、手書き文字入力用ウインドウ３０が画面上に表示され、ユーザが手書き文字をペン入力できる状態となる。ここで、ユーザがウインドウ３０に対して所定の操作を行った場合には、手書き文字が認識され、認識結果である文字データがウインドウ３１の中に現れることになる。
【００３７】
図７は、別のウインドウを開くことにより文字入力可能なウインドウの切り替えが行われた後の状態を示している。  
ユーザがウインドウ３１の子供に当たるウインドウ（ここではダイアログ）６２を開くと、文字入力が可能なウインドウの切り替えが行われ、ウインドウ６２が文字入力可能なウインドウとなる。このウインドウ６２は、関連付け設定されたウインドウ３１と共通したルートを有するものであり、互いに関連しているため、手書き文字入力用ウインドウ３０は表示状態のままとなる。ここで、ユーザがウインドウ３０に対して所定の操作を行った場合には、手書き文字が認識され、認識結果である文字データがウインドウ６２１の中の項目「ファイル名」の欄中に現れることになる。
【００３８】
図８は、関連性の無いウインドウ３２への切り替えが行われた後の状態を示している。
ユーザがウインドウ３１とは関連性のないウインドウ３２への切り替え操作を行ったものとする。この場合、ウインドウ３２は、関連付け設定されたウインドウ３１と共通したルートを有しておらず、ウインドウ３１とは関連性が無いため、手書き文字入力用ウインドウ３０は非表示状態となる。
【００３９】
次に、図９を参照して、表示制御用プログラムの関連付け設定部５１によるウインドウ関連付け設定処理の動作を説明する。  
関連付け設定部５１は、ＯＳ２０から特定アイコンがタップされるまで待機し（ステップＡ１）、当該特定アイコンがタップされた場合、画面に表示されているウインドウのうち、現在入力可能となっているフォーカスのあるウインドウの識別子をＯＳ２０に問い合わせて取得し、さらにそのウインドウの階層構造上のルートに該当する親ウインドウの識別子をＯＳ２０に問い合わせて取得する（ステップＡ２）。
【００４０】
そして、関連付け設定部５１は、取得した親ウインドウの識別子を関連付け情報記憶部５３に記憶させる（ステップＡ３）。
【００４１】
次に、図１０を参照して、表示制御用プログラムの手書き文字入力用ウインドウ表示制御部５２による手書き文字入力用ウインドウ表示／非表示制御処理の動作を説明する。  
手書き文字入力用ウインドウ表示制御部５２は、ＯＳ２０からウインドウの切り替え操作があったことを示す通知を受けるまで待機し（ステップＢ１）、当該通知を受けた場合、画面に表示されているウインドウのうち、現在入力可能となっているフォーカスのあるウインドウの識別子をＯＳ２０に問い合わせて取得し、さらにそのウインドウの階層構造上のルートに該当する親ウインドウの識別子をＯＳ２０に問い合わせて取得する（ステップＢ２）。
【００４２】
そして、手書き文字入力用ウインドウ表示制御部５２は、取得した親ウインドウの識別子が上記関連付け情報記憶部５３に記憶した識別子に一致するか否かを判定する（ステップＢ４）。
【００４３】
ここで、一致した場合、対象となっているウインドウは関連付け設定されたウインドウと関連性があるものと見なし、手書き文字入力用ウインドウ３０を表示状態とするようＯＳ２０に指示する（ステップＢ５）。
【００４４】
一方、一致しなかった場合、対象となっているウインドウは関連付け設定されたウインドウと関連性が無いものと見なし、手書き文字入力用ウインドウ３０を非表示状態とするようＯＳ２０に指示する（ステップＢ６）。
【００４５】
このように本実施形態によれば、ユーザは手書き文字入力用ウインドウ３０と関連付けさせたいウインドウを選択して簡単に設定することができる。また、情報処理装置を使用している間、ユーザは手書き文字入力用ウインドウ３０の表示／非表示をその都度手動で切り替える必要がなく、自動的に切り替え処理させることができる。また、手書き文字入力用ウインドウ３０と関連付けされていないウインドウへの切り替えが行われた際には、手書き文字入力用ウインドウ３０は非表示の状態となるので、画面上の景観を良いものとし、作業をスムーズに進めることができる。
【００４６】
上述した実施形態で述べた各種の処理手順は、コンピュータプログラムとして、コンピュータにより読み取り可能な記憶媒体（例えば磁気ディスク，光ディスク，半導体メモリ）に記憶させておき、必要に応じてそれをコンピュータ（プロセッサ）により読み出して実行するようにしてもよい。また、このようなコンピュータプログラムは、通信媒体を介してあるコンピュータから他のコンピュータに伝送することにより配布することも可能である。
【００４７】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４８】
【図１】本発明の一実施形態によるノートブック型パーソナルコンピュータのディスプレイユニットを開いた状態を示す図。
【図２】同コンピュータのシステム構成を示すブロック図。
【図３】図２に示される主メモリ上のＯＳおよび表示制御用プログラムに係わる機能構成を示すブロック図。
【図４】ＯＳが有するウインドウ階層構造情報の一例を説明するための図。
【図５】ウインドウの関連付け設定を行う前の状態を示す図。
【図６】ウインドウの関連付け設定を行った後の状態を示す図。
【図７】別のウインドウを開くことにより文字入力可能なウインドウの切り替えが行われた後の状態を示す図。
【図８】関連性の無いウインドウへの切り替えが行われた後の状態を示す図。
【図９】表示制御用プログラムの関連付け設定部によるウインドウ関連付け設定処理の動作を示すフローチャート。
【図１０】表示制御用プログラムの手書き文字入力用ウインドウ表示制御部による手書き文字入力用ウインドウ表示／非表示制御処理の動作を示すフローチャート。
【符号の説明】
【００４９】
１…コンピュータ、１１…コンピュータ本体、１２…ディスプレイユニット、１３…キーボード、１４…パワーボタン、１５…タッチパッド、２０…ＯＳ、３０…手書き文字入力用ウインドウ、３１，３２…ウインドウ、４１…文字認識部、４２…認識結果送信部、５１…関連付け設定部、５２…手書き文字入力用ウインドウ表示制御部、５３…関連付け情報記憶部、６０…特定アイコン、６１…フォーカス、６２…ウインドウ（ダイアログ）。
【図１】
2005149240.tif 000003
【図２】
2005149240.tif 000004
【図３】
2005149240.tif 000005
【図４】
2005149240.tif 000006
【図５】
2005149240.tif 000007
【図６】
2005149240.tif 000008
【図７】
2005149240.tif 000009
【図８】
2005149240.tif 000010
【図９】
2005149240.tif 000011
【図１０】
2005149240.tif 000012